【手続補正書】
【提出日】令和2年7月27日(2020.7.27)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ機器(UE)への複数のチャネル状態情報基準信号(CSI-RS)の送信のための1つのCSI-RSリソースをもつCSI-RSリソースセットを識別するステップと、
第1の部分帯域構成に従って、第1のCSI-RSを、第1の非連続部分帯域に関連付けられた前記CSI-RSリソースの第1のリソースサブセットを介した送信用にプリコーディングするステップと、
第2の部分帯域構成に従って、第2のCSI-RSを、第2の非連続部分帯域に関連付けられた前記CSI-RSリソースの第2のリソースサブセットを介した送信用にプリコーディングするステップと、
前記UEへ、前記第1のリソースサブセットを介して、前記プリコーディングされた第1のCSI-RSを、および前記第2のリソースサブセットを介して、前記プリコーディングされた第2のCSI-RSを送信するステップとを含む、方法。
【請求項２】
前記UEからチャネルフィードバックメッセージを受信するステップであって、前記チャネルフィードバックメッセージは、プリコーディングされた前記第1のCSI-RSおよびプリコーディングされた前記第2のCSI-RSのうちの一方または両方に基づいて計算される、ステップをさらに含み、
前記チャネルフィードバックメッセージは、プリコーディング行列インジケータ、プリコーディングタイプインジケータ、ランクインジケータ、チャネル品質インジケータ、またはそれらの組合せのうちの少なくとも1つを示す、請求項1に記載の方法。
【請求項３】
前記第1の非連続部分帯域に関連付けられた前記CSI-RSリソースの前記第1のリソースサブセットを介した、前記プリコーディングされた第1のCSI-RSの前記送信は、前記第2の非連続部分帯域に関連付けられた前記CSI-RSリソースの前記第2のリソースサブセットを介した、前記プリコーディングされた第2のCSI-RSの前記送信とは異なるとき、または同じときに起こる、請求項1に記載の方法。
【請求項４】
前記第1の非連続部分帯域用の前記第1のCSI-RSをプリコーディングするための第1の巡回粒度は、前記第2の非連続部分帯域用の前記第2のCSI-RSをプリコーディングするための第2の巡回粒度と等しいか、または異なり、
前記第1の巡回粒度は前記第1の部分帯域構成のパラメータであり、前記第2の巡回粒度は前記第2の部分帯域構成のパラメータである、請求項1に記載の方法。
【請求項５】
前記第1のリソースサブセットを介して、前記プリコーディングされた第1のCSI-RSを送信するステップは、アンテナポートのセットの中のアンテナポートの一部または全部を使って、前記プリコーディングされた第1のCSI-RSを送信するステップを含み、
前記第2のリソースサブセットを介して、前記プリコーディングされた第2のCSI-RSを送信するステップは、前記アンテナポートのセットの中のアンテナポートの一部または全部を使って、前記プリコーディングされた第2のCSI-RSを送信するステップを含む、請求項1に記載の方法。
【請求項６】
複数のCSI-RSリソースで前記CSI-RSリソースセットを構成するステップであって、各CSI-RSリソースは、少なくとも前記第1の非連続部分帯域および前記第2の非連続部分帯域に従って区分される、ステップをさらに含み、
少なくとも2つのCSI-RSリソースは、少なくとも、部分帯域の数、各部分帯域についての持続時間、各部分帯域についての巡回粒度、各部分帯域用のCSI-RSポートの数、各部分帯域用に使われるプリコーダ、またはそれらの任意の組合せが異なる、請求項1に記載の方法。
【請求項７】
前記UEからチャネルフィードバックメッセージを受信するステップであって、前記チャネルフィードバックメッセージは、前記CSI-RSリソースセットの前記CSI-RSリソースのうちの少なくとも1つに基づいて計算される、ステップをさらに含み、
前記チャネルフィードバックメッセージは、1つまたは複数のCSI-RSリソース指示(CRI)、プリコーディング行列インジケータ、プリコーディングタイプインジケータ、ランクインジケータ、チャネル品質インジケータ、またはそれらの組合せのうちの少なくとも1つを示す、請求項6に記載の方法。
【請求項８】
ワイヤレス通信のための方法であって、
基地局から、第1の非連続部分帯域に関連付けられたチャネル状態情報基準信号(CSI-RS)リソースの第1のリソースサブセットを介して、第1のCSI-RSを受信するステップであって、前記第1のCSI-RSは、第1の部分帯域構成に従ってプリコーディングされている、ステップと、
第2の非連続部分帯域に関連付けられた前記CSI-RSリソースの第2のリソースサブセットを介して、第2のCSI-RSを受信するステップであって、前記第2のCSI-RSは、第2の部分帯域構成に従ってプリコーディングされている、ステップと、
前記第1および第2のCSI-RSに少なくとも部分的に基づいて、前記第1の非連続部分帯域および前記第2の非連続部分帯域に少なくとも部分的に基づくチャネル状態パラメータを判断するステップと、
前記基地局へ、前記チャネル状態パラメータを示すフィードバックメッセージを送信するステップとを含む、方法。
【請求項９】
前記チャネル状態パラメータを判断するステップは、前記第1および第2の非連続部分帯域のチャネル推定に少なくとも部分的に基づいて、前記第1および第2の非連続部分帯域に対応する前記CSI-RSリソース用の1つまたは複数のチャネル状態パラメータを判断するステップを含む、請求項8に記載の方法。
【請求項１０】
前記第1のCSI-RSプリコーダ構成は、前記第1のリソースサブセット、前記第1の非連続部分帯域用の第1の巡回粒度、前記第1のCSI-RS用の第1の時間間隔、前記第1のCSI-RSの送信に関連付けられたポートの第1の数、またはそれらの組合せのうちの少なくとも1つを示し、
前記第2のCSI-RSプリコーダ構成は、前記第2のリソースサブセット、前記第2の非連続部分帯域用の第2の巡回粒度、前記第2のCSI-RS用の第2の時間間隔、前記第2のCSI-RSの送信に関連付けられたポートの第2の数、またはそれらの組合せのうちの少なくとも1つを示す、請求項8に記載の方法。
【請求項１１】
前記第1の巡回粒度は、前記第1のリソースサブセットの周波数ドメイン、時間ドメイン、またはそれらの組合せにおける連続リソースブロック(RB)の数を示し、
前記第2の巡回粒度は、前記第2のリソースサブセットの周波数ドメイン、時間ドメイン、またはそれらの組合せにおける連続リソースブロック(RB)の数を示す、請求項10に記載の方法。
【請求項１２】
前記第1のリソースサブセットのRBの第1のセットに少なくとも部分的に基づいて、前記第1の非連続部分帯域用の第1の有効チャネルを推定するステップと、
前記第2のリソースサブセットのRBの第2のセットに少なくとも部分的に基づいて、前記第2の非連続部分帯域用の第2の有効チャネルを推定するステップであって、前記第2の非連続部分帯域は、周波数ドメイン、時間ドメイン、またはそれらの組合せにおける前記第1の非連続部分帯域からの非連続部分帯域を含む、ステップとをさらに含む、請求項8に記載の方法。
【請求項１３】
第1および第2のCSI-RSポート-データプリコーダマッピングのうちの一方または両方が、前記第1のリソースサブセットおよび前記第2のリソースサブセットのそれぞれのリソースサブセットに対応するリソース要素(RE)のセットに関連付けられた正相ベクトルまたはAlamouti符号化に部分的に基づく、請求項10に記載の方法。
【請求項１４】
前記基地局から、前記第1の部分帯域構成および前記第2の部分帯域構成が異なる構成パラメータを有することを示す制御メッセージを受信するステップをさらに含み、
前記第1の部分帯域構成または前記第2の部分帯域構成の少なくとも1つの構成パラメータは、RRCメッセージ中で、MAC CE中で、またはDCI中で受信される、請求項8に記載の方法。
【請求項１５】
ワイヤレス通信のための装置であって、
請求項1から7または8から14のいずれか一項に記載の方法のすべてのステップを実行するための手段を備える、装置。